(57)【要約】【課題】吐出ヘッドが非円形の時にも、吐出ヘッドと取付キャップとの間にスペーサーを嵌挿するだけで安定性が増すようにした流体吐出容器のポンプ用スペーサーを提供すること。【解決手段】流体吐出容器の吐出ヘッドとポンプ取付キャップとの間に嵌挿されるスペーサーであって、吐出ヘッドは、頂壁と側周壁、ノズルとを具えており、スペーサーは、抱持板と抱持板の端部に連設された支持板を具えた基部と、把手部とからなっており、支持板と把手部からなる３個所の支持部によって、吐出ヘッドの側周壁下端を支持していることを特徴とする。【選択図】        図１
2004262502.tif 000002
【特許請求の範囲】
【請求項１】
流体吐出容器の吐出ヘッドとポンプ取付キャップとの間に嵌挿されるスペーサーであって、
吐出ヘッドは、頂壁と側周壁、ノズルとを具えており、
スペーサーは、抱持板と抱持板の端部に連設された支持板を具えた基部と、把手部とからなっており、支持板と把手部からなる３個所の支持部によって、吐出ヘッドの側周壁下端を支持していることを特徴とする流体吐出容器のポンプ用スペーサー。
【請求項２】
吐出ヘッドの側周壁下端とスペーサーの把手部に位置決め用部材を設けたことを特徴とする請求項１記載の流体吐出容器のポンプ用スペーサー。
【発明の詳細な説明】
【０００１】
【発明の属する技術分野】
本発明は、流体吐出容器のポンプ、とくに不用意な吐出を防止する吐出ポンプ用スペーサーに関するものである。
【０００２】
【従来の技術】
流体吐出ポンプとして、ポンプの取付キャップと引上げ状態のヘッド（７）との間に把手（４３）を突設したスペーサー（４１）を介在させ、ヘッド（７）を押下げ不能とした流体吐出ポンプは、従来より知られている（例えば、特許文献１参照。）。
【０００３】
【特許文献１】
特開平成１０年第１０１１１７号公報
【０００４】
【発明が解決しようとする課題】
従来の吐出ポンプ用スペーサーは、吐出ヘッドを最上昇位置に保持し、不用意な吐出を防止するものであるが、吐出ヘッドの外形が、楕円形、角形等種々の形状となると、円形のスペーサーでは対応できないという問題が生じるようになった。
また、吐出ヘッドが非円形であると、搬送時や使用時等に吐出ヘッドがぐらついたり、相互の衝突によりガタが生じるという問題が生じ、場合によっては、液漏れが生じるおそれもあった。
【０００５】
本発明は、上記問題を解決することを課題として、吐出ヘッドが非円形の時にも、吐出ヘッドと取付キャップとの間にスペーサーを嵌挿するだけで安定性が増すようにした流体吐出容器のポンプ用スペーサーを提供することを目的とする。
【０００６】
【課題を解決するための手段】
本発明は、上記の課題を解決するため、流体吐出容器のポンプ用スペーサーとして、流体吐出容器の吐出ヘッドとポンプ取付キャップとの間に嵌挿されるスペーサーであって、吐出ヘッドは、頂壁と側周壁、ノズルとを具えており、スペーサーは、抱持板と抱持板の端部に連設された支持板を具えた基部と、把手部とからなっており、支持板と把手部からなる３個所の支持部によって、吐出ヘッドの側周壁下端を支持していることを特徴とする構成を採用する。
【０００７】
ヘッドとスペーサーの位置決めのために、吐出ヘッドの側周壁下端とスペーサーの把手部に位置決め用部材を設けたことを特徴とする構成を付加する。
【０００８】
【発明の実施の形態】
次に、本発明の実施形態について、図面を参照して説明する。
図１、２において、Ａは容器、Ｂは取付キャップ、Ｃはポンプ、Ｄは吐出ヘッド、Ｅはスペーサーである。
容器Ａは、口部１と肩部、胴部と底部とからなり、口部１には、筒体２を立設した取付キャップＢを介してポンプＣが取着されている。
ポンプＣのピストン部材には、筒体２内で上下動されるステムが連設され、ステムの上端には、吐出ヘッドＤが連設されている。
【０００９】
吐出ヘッドＤは、角形の頂壁３と、頂壁３の外周から垂設された側周壁４、ステムに嵌着された流路筒（図示しない）と、流路筒に接続され、前面側の側周壁４から突出したノズル５が設けられている。
ノズル５の反対側の側周壁４下端には、位置決め突起６が垂設されている。
【００１０】
ポンプＣ、吐出ヘッドＤの各内部構造、関連機構等は、公知のものとほぼ同様であり、これ以上の詳しい説明は省略する。
【００１１】
スペーサーＥは、図３に示すように、基部１０、該基部１０に連設された把手部１１とからなっている。
基部１０は、筒体２の少なくとも１８０度をこえる角度範囲で筒体２の外周を覆い、スナップフィット式に筒体２に嵌合されるＣ字形の抱持板１２を具えている。
【００１２】
抱持板１２の各端部から、ノズル５の方向に並行して延びる延長体１３、１３が延設され、各延長体１３、１３の端部１４、１４には、支持体１５、１５が連設されている。
そして、延長体１３、１３と支持体１５、１５とで支持板１６、１６を形成してる。
支持体１５、１５の外周面は、ノズル側の側周壁４の下端の形状とほぼ同一であり、ノズル５を挟んで延長体１３、１３の端部１４、１４から両側に延びている。
【００１３】
把手部１１は、基部１０に連設された突出板１７と、その先端に連設された円弧状のつまみ部１８とからなっており、突出板１７の上下面には、位置決め突起６が挿入される凹溝１９が刻設されている。
【００１４】
次に、本実施形態の流体吐出容器のポンプ用スペーサーの作用効果について説明する。
スペーサーＥは、該吐出容器の函詰め搬送時、使用中容器の収納時に、吐出ヘッドを最上昇位置にした状態で、吐出ヘッドＤ下面と、取付キャップＢの上面との間にスペーサーＥを取付ける。
その際、吐出ヘッドＤの側周壁４下面の位置決め突起６を、スペーサーＥの突出板１７の凹溝１９に嵌挿するようにして位置合わせし、スペーサーＥの抱持板１２を筒体２に嵌挿する。
【００１５】
スペーサーＥの取付時には、吐出ヘッドＤの側周壁は、支持体１５、１５の上面と、把手部１１の突出板１７の３個所で支えられるので、吐出ヘッドが強固に維持され、不用意に容器を振ったり、吐出ヘッドＤが周辺の物体にあたったり、吐出ヘッドＤが相互に衝突したときにも、吐出ヘッドＤがぐらついたり、ガタが発生することはない。
したがって、搬送時や使用中の不用意なガタつき、液漏れを防ぐことができる。
【００１６】
また、支持板１６の表面は比較的広い面積が得られるので、該支持板１６表面にマーク、文字等の表示等を施した場合には、販売展示用の棚に載置したときなどに、消費者の目を引き、販売促進につながることになる。
【００１７】
位置決め部材として、吐出ヘッドＤに位置決め突起６を、スペーサーＥに凹溝１９を設けているので、吐出ヘッドＤとスペーサーＥの相互廻転をすることを防ぎ、より一層安定性を増すことができる。
スペーサーＥの突出板１７の上下面に、凹溝１９が形成されているので、スペーサーＥを上下面を逆にして嵌挿してもよい。
【００１８】
さらに、取付キャップに位置決め突起を設けると、容器とスペーサー、吐出ヘッドの方向を一致させ、外観を一定にすることができる。
【００１９】
次に、別実施形態について説明する。
本実施形態は、容器の横断面を楕円形とし、吐出ヘッドの外周形状も楕円形としたものである。
同一の構成は、符号に添字ａを付けて図示するにとどめ、以下、相違点を中心に説明する。
【００２０】
図４〜５において、Ａａは楕円形の容器、Ｂａは図示しないポンプの取付キャップ、Ｄａはポンプのステムの上端に取着された吐出ヘッド、Ｅａはスペーサーである。
吐出ヘッドＤａは、楕円形の頂壁３ａと側周壁４ａ、前面側の側周壁４ａから突出したノズル５ａを具えている。
【００２１】
図５に示すように、スペーサーＥａは、基部１０ａと把手部１１ａとからなっており、基部１０ａは、Ｃ字形の抱持板１２ａの各端部より外方に延びる支持板１６ａ、１６ａとからなっており、支持板１６ａ、１６ａの端部がノズル側の側周壁４ａの下面を支持している。
支持板１６ａ、１６ａの端部は、側周壁４ａとほぼ一致することが好ましいが、側周壁４ａの外方に突出してもよい。
その他の構成は、前実施形態のものと同様である。
【００２２】
本実施形態の作用効果は、前実施形態のそれと同一の作用効果を得ることができる。
更に、スペーサーＥａの支持板１６ａ、１６ａの端部を、吐出ヘッドＤａの前面の側周壁４ａと一致させた場合には、外観の見栄えがよい。
【００２３】
また、吐出ヘッドＤａを三角形状等の多角形状としても、スペーサーの支持板の形状を吐出ヘッドの形状に併せて変更するだけで、前記各実施形態と同様の作用効果を得ることができる。
さらに、支持板および把手部からなる吐出ヘッドの側周壁下端の支持部は、支持板および把手部上面の全面であっても一部であってもよい。
【００２４】
前記各実施形態では、ヘッドの位置決め部として、側周壁下端に突起を垂設し、スペーサーの係止部として、突出板上面に凹溝を刻設したが、ヘッドの側周壁下端に凹溝を刻設し、突出板上面に突起を立設するようにしてもよい。
【００２５】
また、前記各実施形態では、ノズルの反対側の側周壁下端に位置決め突起を設けたが、側周壁下端に形成する位置決め突起、或いは、凹溝の位置は、ノズル側の側周壁下端等やノズルから所定角度方向の側周壁下端など、任意の位置に設けることができる。
【００２６】
【発明の効果】
本発明は、上記のように構成されているから次の効果を奏する。
吐出ヘッドを非円形としても、搬送時、使用時等に吐出ヘッドがぐらつかず安定性が得られる。
【００２７】
また、吐出ヘッドの形状を任意に選択できるので、デザインの巾が広がることとなった。
【図面の簡単な説明】
【図１】流体吐出容器の斜視図である。
【図２】本発明の流体吐出容器の立面図である。
【図３】スペーサーの説明図で、（ａ）は上面図、（ｂ）は断面正面図である。
【図４】別実施形態の流体吐出容器の斜視図である。
【図５】スペーサーの上面図である。
【符号の説明】
Ａ、Ａａ      容器
Ｂ、Ｂａ      取付キャップ
Ｃ            ポンプ
Ｄ、Ｄａ      吐出ヘッド
Ｅ、Ｅａ      スペーサー
１            口部
２            筒体
３、３ａ      頂壁
４、４ａ      側周壁
５、５ａ      ノズル
６            位置決め突起
１０、１０ａ  基部
１１、１１ａ  把手部
１２、１２ａ  抱持板
１３          延長体
１４          端部
１５          支持体
１６、１６ａ  支持板
１７          突出板
１８          つまみ部
１９          凹溝
【図１】
2004262502.tif 000003
【図２】
2004262502.tif 000004
【図３】
2004262502.tif 000005
【図４】
2004262502.tif 000006
【図５】
2004262502.tif 000007